(57)【要約】【課題】ボタンに対応付けられた番号の並びが、ボタンの表示位置の並びと異なる場合にも、ボタンに対応付けられた番号の把握を容易にする。【解決手段】光ディスク１から読み出されたハイライト情報に基づいて表示装置１９にボタンを表示するとともに、ハイライト情報においてボタンに対応付けられた番号が数字キーを用いて入力されたときには、入力された番号に対応する動作を実行する構成において、ハイライト情報によって示された位置に表示されたボタンのそれぞれについて、対応付けられた番号を示す数字を、サブピクチャにより示される文字列の表示とは別途の表示として、ボタンに対応付けて表示するボタン表示手段２１を備えている。【選択図】  図１
2006013940.tif 000002
【特許請求の範囲】
【請求項１】
ＤＶＤから読み出されたハイライト情報に基づいて表示装置にボタンを表示するとともに、ハイライト情報においてボタンに対応付けられた番号が数字キーを用いて入力されたときには、入力された番号に対応する動作を実行するＤＶＤプレイヤにおいて、
ハイライト情報によって示された位置に表示されたボタンのそれぞれについて、前記対応付けられた番号を示す数字を、サブピクチャにより示される文字列の表示とは別途の表示として、ボタンに対応付けて表示するボタン表示手段を備え、
ボタン表示手段は、ボタンの表示時に背景として表示される画像のうち、数字の表示範囲を含む所定範囲に表示される画像の輝度を低下させるとともに、表示されるボタンの大きさに対応して、表示する数字の大きさを変更することを特徴とするＤＶＤプレイヤ。
【請求項２】
光ディスクから読み出されたハイライト情報に基づいて表示装置にボタンを表示するとともに、ハイライト情報においてボタンに対応付けられた番号が数字キーを用いて入力されたときには、入力された番号に対応する動作を実行するディスク再生装置において、
ハイライト情報によって示された位置に表示されたボタンのそれぞれについて、前記対応付けられた番号を示す数字を、サブピクチャにより示される文字列の表示とは別途の表示として、ボタンに対応付けて表示するボタン表示手段を備えたことを特徴とするディスク再生装置。
【請求項３】
ボタン表示手段は、ボタンの表示時に背景として表示される画像のうち、数字の表示範囲を含む所定範囲に表示される画像を、表示の鮮やかさを低減した画像とすることを特徴とする請求項２記載のディスク再生装置。
【請求項４】
ボタン表示手段は、表示されるボタンの大きさに対応して、表示する数字の大きさを変更することを特徴とする請求項２または請求項３記載のディスク再生装置。
【発明の詳細な説明】
【技術分野】
【０００１】
本発明は、ハイライト情報により示されたボタンを表示するＤＶＤプレイヤおよびディスク再生装置に係り、より詳細には、表示されたボタンのそれぞれについて、対応付けられた番号を示す数字を、ボタンに対応付けて表示するＤＶＤプレイヤおよびディスク再生装置に関するものである。
【背景技術】
【０００２】
ＤＶＤプレイヤのメニュー画面などにおいては、選択肢となる項目はボタンにより表示されるようになっている。また、これらの表示されたボタンの選択については、方向キーを操作して選択したいボタンをハイライト表示させた後、決定キーを操作する方法と、ボタンのそれぞれに振り当てられた番号を数字キーを用いて入力する方法とがある。このようなボタンの選択方法を用いた装置に関して、本願出願人により、以下に示す技術が提案されている（第１の従来技術とする）。すなわち、この技術では、メニューの選択画面となったときには、操作可能な数字の範囲を示すようになっている。このことを詳細に説明するため、いま、例えば、図５に示したように、第１のボタン８０１が、ボタンに対応付けられた番号を示す数字表示８１１と、ボタンに対応付けられた動作内容を示す文字表示８２１とによって示され、第２のボタン８０２が、番号を示す数字表示８１２と、動作内容を示す文字表示８２２とによって示され、第３のボタン８０３が、番号を示す数字表示８１３と、動作内容を示す文字表示８２３とによって示されているとする。つまり、３つのボタン８０１〜８０３が表示され、ボタン８０１〜８０３のそれぞれには、番号１〜３のそれぞれが対応付けられているとする。このような場合、１〜３の範囲が有効であることを示す有効数字表示８３が、ボタン８０１〜８０３と同時に表示されるようになっている。その結果、『４』より大きい数字キーの操作が防止される。つまり、無効範囲の数字キーの操作が防止されることになる（例えば、特許文献１参照）。
【０００３】
また、以下に示す技術が提案されている（第２の従来技術とする）。すなわち、この技術では、メニュー画面の表示となるときには、図６に示す画面が表示されることが開示されている。且つ、この画面については、上記技術において、以下のように説明されている（以下における説明の『図３』は、添付図面の図６に該当している）。『図３はＤＶＤＰでのメニュー再生時、画面上にディスプレイされるメニュー画像の一例を示す。メニュー画像、字幕などはサブピクチャデータパックＳＰ内の情報に基づいてディスプレイされる。メニュー画像は図３に示したように、例えば６個のサブタイトルに該当するボタンよりなる。各ボタンの位置、カラー、ボタン数、選択されたボタンのカラーなどはハイライト情報ＨＬＩによって決定される』。
【０００４】
図６（上記説明における図３）についての説明は、上記した内容となっている。そして、この画面が表示されているときに、例えば、数字キーの『１』が操作されると、『ＡＡＡＡ』に対応する動作が実行されることも、併せて開示されている（例えば、特許文献２参照）。
【特許文献１】実登第３０８９５７５号公報（第００１８−００１９段落、図３）
【特許文献２】特開平１０−２７６４０１号公報（第００１１段落、図３）
【発明の開示】
【発明が解決しようとする課題】
【０００５】
しかしながら、上記技術を用いる場合には、以下に示す問題を生じていた。すなわち、第１の従来技術の画面における数字表示８１１〜８１３、および、第２の従来技術の画面における数字表示８３１〜８３６は、ともに、サブピクチャ（副映像）に基づいて表示される文字表示となっている。その一方で、多くのＤＶＤにおいては、ハイライト情報の表示となるときのサブピクチャ（副映像）により示される文字列は、ボタンに対応付けられた番号を示す数字を含まない文字列となっている。
【０００６】
図７は、ボタンに表示される文字列が、ボタンに対応付けられた番号を示す数字を含まない文字列となるときの画面を示しており、４つのボタン７１１〜７１４のそれぞれに表示された文字列７２１〜７２４は、ボタンを操作したときの動作内容を示す文字列のみとなっている。また、ボタン７１１〜７１４のそれぞれの表示位置は、再生するＤＶＤから得られたハイライト情報ＨＬＩにより指示されている。その一方で、ＤＶＤの中には、ボタン７１１〜７１４の並びと、対応付けられた数字の並びとが一致しないハイライト情報が記録されている場合がある。
【０００７】
すなわち、ボタン７１１には数字キーの『１』を対応付け、ボタン７１４には数字キー『４』を対応付けているが、ボタン７１２については、数字キーの『２』ではなく、数字キーの『３』を対応付け、ボタン７１３には数字キーの『２』を対応付けている場合がある。このような場合であっても、ボタン７１２により示される動作を実行させたいときには、ユーザは、ボタン７１１〜７１４の並びの順番に従い、数字キーの『２』を操作することが多い。しかし、数字キーの『２』を操作したときでは、ボタン７１３に対応する動作が実行される。つまり、ユーザにとっては予期しない動作が実行される。その結果、ボタンの並びと、対応付けられた番号の並びとが一致しないハイライト情報が記録されたＤＶＤを再生するときでは、装置の使い勝手が極めて悪いものとなっていた。
【０００８】
本発明は、上記の問題点を解決するため創案されたものであり、その目的は、表示されるボタンに対応付けられた番号の並びが、ボタンの表示位置の並びとは異なる場合にも、ボタンに対応付けられた番号の把握を容易にすることのでき、且つ、動画や静止画が背景として表示されるときにも、番号を示す数字が見づらくなるのを好適に防止することのでき、且つ、番号を示す数字の瞬時の把握を容易にすることのできるＤＶＤプレイヤを提供することにある。
【０００９】
また、本発明の目的は、ボタンに対応付けられた番号を示す数字を、ボタンに対応付けて表示することにより、ボタンに対応付けられた番号の並びが、ボタンの表示位置の並びとは異なる場合にも、ボタンに対応付けられた番号の把握を容易にすることのできるディスク再生装置を提供することにある。
【００１０】
また、上記目的に加え、数字の表示範囲を含む所定範囲の画像の鮮やかさを低下させることにより、動画や静止画が背景として表示されるときにも、番号を示す数字が見づらくなるのを防止することのできるディスク再生装置を提供することにある。
【００１１】
また、上記目的に加え、表示されるボタンの大きさに対応して、表示する数字の大きさを変更することにより、番号を示す数字の瞬時の把握を容易にすることのできるディスク再生装置を提供することにある。
【課題を解決するための手段】
【００１２】
上記の課題を解決するため、本発明に係るＤＶＤプレイヤは、ＤＶＤから読み出されたハイライト情報に基づいて表示装置にボタンを表示するとともに、ハイライト情報においてボタンに対応付けられた番号が数字キーを用いて入力されたときには、入力された番号に対応する動作を実行する構成に適用している。そして、ハイライト情報によって示された位置に表示されたボタンのそれぞれについて、前記対応付けられた番号を示す数字を、サブピクチャにより示される文字列の表示とは別途の表示として、ボタンに対応付けて表示するボタン表示手段を備え、ボタン表示手段は、ボタンの表示時に背景として表示される画像のうち、数字の表示範囲を含む所定範囲に表示される画像の輝度を低下させるとともに、表示されるボタンの大きさに対応して、表示する数字の大きさを変更するようになっている。
【００１３】
すなわち、ボタンに対応付けられた番号を示す数字がサブピクチャの文字列に含まれていないときにも、ボタンに対応付けられた番号を示す数字が、ボタンに対応付けられて表示される。従って、対応付けられた番号の並びが、ボタンの並びと異なるときであっても、ボタンに対応付けられた番号が何番となっているのかを知ることができる。且つ、番号を示す数字の回りにおいては、表示の鮮やかさが低減されるので、表示された数字が背景から浮かび上がって見える。且つ、ボタンの大きさと番号を示す数字の大きさとの対応関係が、番号を示す数字の把握が容易となる関係に維持される。
【００１４】
また、本発明に係るディスク再生装置は、光ディスクから読み出されたハイライト情報に基づいて表示装置にボタンを表示するとともに、ハイライト情報においてボタンに対応付けられた番号が数字キーを用いて入力されたときには、入力された番号に対応する動作を実行する構成に適用している。そして、ハイライト情報によって示された位置に表示されたボタンのそれぞれについて、前記対応付けられた番号を示す数字を、サブピクチャにより示される文字列の表示とは別途の表示として、ボタンに対応付けて表示するボタン表示手段を備えている。
【００１５】
すなわち、ボタンに対応付けられた番号を示す数字がサブピクチャの文字列に含まれていないときにも、ボタンに対応付けられた番号を示す数字が、ボタンに対応付けられて表示される。従って、対応付けられた番号の並びが、ボタンの並びと異なるときであっても、ボタンに対応付けられた番号が何番となっているのかを知ることができる。
【００１６】
また、上記構成に加え、ボタン表示手段は、ボタンの表示時に背景として表示される画像のうち、数字の表示範囲を含む所定範囲に表示される画像を、表示の鮮やかさを低減した画像としている。すなわち、番号を示す数字の回りにおいては、表示の鮮やかさが低減されるので、表示された数字が背景から浮かび上がって見える。
【００１７】
また、上記構成に加え、ボタン表示手段は、表示されるボタンの大きさに対応して、表示する数字の大きさを変更するようになっている。すなわち、ボタンの大きさと番号を示す数字の大きさとの対応関係を、番号を示す数字の把握が容易となる関係に維持することができる。
【発明の効果】
【００１８】
本発明によれば、ボタンに対応付けられた番号を示す数字がサブピクチャの文字列に含まれていないときにも、ボタンに対応付けられた番号を示す数字が、ボタンに対応付けられて表示される。従って、対応付けられた番号の並びが、ボタンの並びと異なるときであっても、ボタンに対応付けられた番号が何番となっているのかを知ることができる。且つ、番号を示す数字の回りにおいては、表示の輝度が低減されるので、表示された数字が背景から浮かび上がって見える。且つ、ボタンの大きさと番号を示す数字の大きさとの対応関係が、番号を示す数字の把握が容易となる関係に維持される。このため、表示されるボタンに対応付けられた番号の並びが、ボタンの表示位置の並びと異なる場合にも、ボタンに対応付けられた番号の把握を容易にすることができ、且つ、動画や静止画が背景として表示されるときにも、番号を示す数字が見づらくなるのを好適に防止することのでき、且つ、番号を示す数字の瞬時の把握を容易にすることができる。
【００１９】
また、本発明によれば、ボタンに対応付けられた番号を示す数字がサブピクチャの文字列に含まれていないときにも、ボタンに対応付けられた番号を示す数字が、ボタンに対応付けられて表示される。従って、対応付けられた番号の並びが、ボタンの並びと異なるときであっても、ボタンに対応付けられた番号が何番となっているのかを知ることができる。このため、ボタンに対応付けられた番号の並びが、ボタンの表示位置の並びと異なる場合にも、ボタンに対応付けられた番号の把握を容易にすることができる。従って、意図しないボタンを選択してしまうという事態の発生が防止されることになり、選択したいボタンを、容易に、数字キーでもって選択することができることになる。
【００２０】
また、さらに、ボタンに対応付けられた番号を示す数字の回りにおいては、表示の鮮やかさが低減されるので、表示された数字が背景から浮かび上がって見える。このため、動画や静止画が背景として表示されるときにも、番号を示す数字が見づらくなるのを防止することができる。
【００２１】
また、さらに、表示されるボタンの大きさに対応して、ボタンに対応付けて表示される数字の大きさが変更される。従って、ボタンの大きさと番号を示す数字の大きさとの対応関係が、番号を示す数字の把握が容易となる関係に維持される。このため、番号を示す数字の瞬時の把握を容易にすることができる。
【発明を実施するための最良の形態】
【００２２】
以下、本発明の実施の形態について図を参照して説明する。
【００２３】
図２は、ＤＶＤに記録されたプログラムストリームの構成を示す説明図である。
【００２４】
ＤＶＤに記録される映像信号、音声信号、副映像のそれぞれは、ビデオストリーム、オーディオストリーム、サブピクチャストリームとしてパック化されており、これらのパック化されたストリームは、（Ａ）に示したように、パックを単位として、プログラムストリーム上に時分割方式で多重化されている。また、このプログラムストリーム上には、ナビゲーションパックと呼ばれ、再生の制御を行う再生制御情報が挿入されている。
【００２５】
ナビゲーションパックは、詳細には、（Ｂ）に示したように、パックヘッダと、ＰＣＩ（Ｐｒｅｓｅｎｔａｔｉｏｎ  Ｃｏｎｔｒｏｌ  Ｉｎｆｏｒｍａｔｉｏｎ）パケットと呼ばれる再生制御情報パケットと、ＤＳＩ（Ｄａｔａ  Ｓｅａｒｃｈ  Ｉｎｆｏｒｍａｔｉｏｎ）パケットと呼ばれるデータサーチ情報パケットとにより構成されている。
【００２６】
上記したＰＣＩパケットは、詳細には、（Ｃ）に示したように、パケットヘッダと、このパケットがＰＣＩストリームであることを識別するためのｓｕｂ＿ｓｔｒａｅｍ＿ｉｄと、再生制御情報の本体であるＰＣＩデータとによって構成されている。そして、このＰＣＩデータには、（Ｄ）に示したように、メニュー画面の表示に関する情報であるハイライト情報が含まれている。そして、ハイライト情報には、ボタンの表示位置（大きさを含む）を示す情報、ボタンに対応付けられた番号を示す情報、ボタンに対応付けられた動作を示す情報、ボタンの数を示す情報、ボタンの色を示す情報、等が含まれている。
【００２７】
図１は、本発明に係るディスク再生装置の一実施形態の電気的構成を示すブロック線図であり、具体的にはＤＶＤプレイヤを示している。
【００２８】
図において、ピックアップ３は、スピンドルモータ２によって回転駆動されるＤＶＤ（光ディスク）１に記録されたデータを読み取って得られた信号を同期検出部４に出力する。同期検出部４は、ピックアップ３より出力される信号からデジタルデータを再生する。復調部５は、同期検出部４によって再生されたデジタルデータに対して所定処理を施すことにより、デジタルデータの復調を行う。エラー訂正部６は、復調部５において復調されたデジタルデータのエラー訂正を行うとともに、エラー訂正によって得られたプログラムストリームをデータ分離部７に出力する。
【００２９】
データ分離部７は、エラー訂正部６から出力されるプログラムストリームのうち、再生時の制御に関する情報であり、ハイライト情報を含む制御情報のストリームを制御手段１０に出力する。また、ビデオストリームをビデオデコーダ１１に出力し、サブピクチャストリームをサブピクチャデコーダ１２に出力し、オーディオストリームをオーディオデコーダ１３に出力する。
【００３０】
ビデオデコーダ１１は、データ分離部７から出力されるビデオストリームを、ＭＰＥＧ２方式に基づいて伸長し、伸長して得られたデジタル映像信号をオンスクリーンディスプレイ部（以下ではＯＳＤ部と称する）１４に出力する。サブピクチャデコーダ１２は、データ分離部７から出力されるサブピクチャストリームをデコードして得られた副映像信号をＯＳＤ部１４に出力する。オーディオデコーダ１３は、データ分離部７より出力されるオーディオストリームを、ＡＣ−３方式で伸長して得られたデジタル音声信号を音声出力部１５に送出する。
【００３１】
ＯＳＤ部１４は、サブピクチャデコーダ１２より出力されるサブピクチャ（ボタンに表示される文字や、字幕等を含む）を示す信号と、制御手段１０により指示された文字や記号等を示す信号とを生成して、ビデオデコーダ１１から出力されるデジタル映像信号に重畳し、映像出力部１６に送出する。
【００３２】
映像出力部１６は、ＯＳＤ部１４から出力されるデジタル映像信号を、例えば、ＮＴＳＣ方式の信号にエンコードした後、Ｄ／Ａ変換する。そして、Ｄ／Ａ変換して得られた映像信号を、外部に設けられたテレビ受像機（表示装置）１９に出力する。音声出力部１５は、オーディオデコーダ１３から出力されるデジタル音声信号をＤ／Ａ変換した後、テレビ受像機１９に出力する。
【００３３】
入力回路部８は、図示されない装置本体の前面パネルに設けられた電源キー等のキースイッチや、リモートコントローラ９から送信される赤外線信号を受光する受光ユニット等を備えており、ユーザからの指示が入力されると、入力された指示を制御手段１０に出力する。
【００３４】
制御手段１０は、マイクロコンピュータを主要部として構成されており、ＤＶＤプレイヤとしての主要動作を制御する。すなわち、リモートコントローラ９に入力された指示が再生であるときには、図示されないサーボ制御部を用いてスピンドルモータ２を回転させるとともに、ピックアップ３を所定位置に移動させる。且つ、ビデオデコーダ１１、サブピクチャデコーダ１２、オーディオデコーダ１３、および、ＯＳＤ部１４からなるデコーダ部１７の制御を行うことによって、ＤＶＤ１を再生して得られた映像信号と音声信号とをテレビ受像機１９に出力する。
【００３５】
制御手段１０の内部に設けられたボタン表示手段２１は、メニュー画面の表示となるときには、既に説明したハイライト情報に基づき、ＯＳＤ部１４を制御することによって、図３（Ａ）に示すように、選択肢となる４つのボタン４１１〜４１４を、指示された位置および大きさ（Ｘ、Ｙの各方向の開始位置と終了位置とによって指示される）でもって、指示された色を用いて表示する。また、各ボタンに、サブピクチャにより示される文字列４２１〜４２４を表示する。
【００３６】
また、ボタン表示手段２１は、各ボタンに対応付けられた番号（ハイライト情報により示される）を示す数字４３１〜４３４を、ボタン４１１〜４１４に対応付けて表示する。また、ボタン４１１〜４１４の表示時に背景として表示される画像のうち、数字のそれぞれの表示範囲を含む所定範囲（破線４４１〜４４４によって囲まれた範囲）の画像を、表示の鮮やかさが低減された画像とする。なお、本実施形態では、破線４４１〜４４４内の画像の表示の鮮やかさを低減するため、破線４４１〜４４４によって囲まれた範囲の画像の輝度を低減している（破線４４１〜４４４によって囲まれた範囲を、透過色のグレーで上書きしている）。
【００３７】
また、ボタン表示手段２１は、ハイライト情報におけるボタンの大きさを示す情報が異なるため、図３（Ｂ）に示したように、表示されるボタンの形状が大きくなるときには、ボタン５１１〜５１４の形状が大きくなったことに対応して、ボタンに対応付けられた番号を示す数字５３１〜５３４の大きさを大きくする。
【００３８】
図４は、メニュー画面のボタン表示を行うときの実施形態の主要動作を示す説明図である。必要に応じて同図を参照しつつ、実施形態の動作を説明する。
【００３９】
メニュー画面の表示となったときには、ボタン表示手段２１は、ＤＶＤ１の読み出しの制御を行うことによって、メニュー画面の表示に対応するハイライト情報を取得する（ステップＳ１）。また、ボタン４１１〜４１４を表示するときの背景となる画像、および、ボタン４１１〜４１４に対応する動作を示す文字列４２１〜４２４を取得する（ステップＳ２）。次いで、ハイライト情報から、ボタンのそれぞれに対応する番号を取得する（ステップＳ３）。そして、ハイライト情報により示されるボタンの大きさから、番号を示す数字の大きさを算出する（ステップＳ４）。また、番号を示す数字の表示範囲を含む所定範囲の位置と広さ、すなわち、背景として表示される画像の輝度を下げる範囲である正方形（破線４４１〜４４４により示す）の大きさと位置とを算出する（ステップＳ５）。
【００４０】
そして後、ボタン表示手段２１は、ＯＳＤ部１４を制御することによって、取得した背景用の画像をテレビ受像機１９に表示する。また、ハイライト情報により示された位置に、指示された大きさでもってボタン４１１〜４１４を表示する。また、ボタン４１１〜４１４に対応する動作を示す文字列４２１〜４２４を表示する（ステップＳ６）。また、ボタン４１１〜４１４に対応付けられた番号を示す数字４３１〜４３４を表示するとともに、数字４３１〜４３４の読み取りが容易となるように、破線４４１〜４４４により示す範囲の輝度を低くする（ステップＳ７）。
【００４１】
上記方法により表示された画面においては、図３（Ａ）に示したように、縦方向に並ぶ４つのボタン４１１〜４１４が表示される。また、各ボタン４１１〜４１４に対応する番号を示す数字４３１〜４３４が、ボタン４１１〜４１４との対応関係の把握が容易となるように、ボタン４１１〜４１４の右側に表示される。
【００４２】
なお、同図においては、ボタン４１１〜４１４に対応付けられた番号は、ボタン４１１〜４１４の並びに一致していない部分があり、ボタン４１２に対応付けられた番号は『３』であり、ボタン４１３に対応付けられた番号が『２』となっていることが示されている。従って、ユーザは、ボタン４１２に表示された文字列４２２の動作を実行させたいときには、容易に、数字キーの『３』を操作すればよいことを把握できる。
【００４３】
以下に補足的な説明を行うと、サブピクチャにより示された文字列４２１〜４２４は、ボタン４１１〜４１４に対応付けられた番号を示す数字４３１〜４３４を含まない文字列となっている。つまり、数字４３１〜４３４は、、サブピクチャにより示される文字列の表示とは別途の表示として、テレビ受像機１９の画面１９１に表示されるようになっている。
【００４４】
動作説明に戻ると、上記したように、ボタン４１１〜４１４、文字列４２１〜４２４、数字４３１〜４３４が表示された後には、制御手段１０は、リモートコントローラ９にキー操作が入力されたかどうかを調べるループ動作を開始する（ステップＳ８）。そして、数字キーが操作されたときには、数字キーにより示される番号が有効範囲にあるかどうかを調べ、有効範囲であるときには、入力された番号に対応する動作を実行する（ステップＳ９〜Ｓ１１）。一方、数字キーにより示される番号が有効範囲でないときには、そのキー操作を無視し、動作をステップＳ１０からステップＳ８に移行する。また、ステップＳ８においてキー操作が入力されたが、操作されたキーが数字キーとは異なる場合、操作されたキーに対応する動作が実行される（ステップＳ９，Ｓ１２）。
【００４５】
図３（Ｂ）は、ハイライト情報により示されたボタン５１１〜５１４の大きさが異なる場合を示しており、表示されるボタン５１１〜５１４の大きさが、図３（Ａ）に示す場合より大きくなる場合、番号を示す数字５３１〜５３４も、ボタン５１１〜５１４が大きくなったことに対応して、大きく表示される。従って、メニュー画面におけるボタン５１１〜５１４の大きさと、番号を示す数字５３１〜５３４の大きさとのバランスを良くすることができるので、番号を示す数字５３１〜５３４を瞬時に読み取ることが容易となっている。
【００４６】
なお、本発明は上記実施形態に限定されず、数字の表示範囲を含む所定範囲の画像の鮮やかさを低減する方法には、輝度を低下させた方法を用いた場合について説明したが、彩度を低下させる方法やコントラストを低下させる方法、あるいは、輝度と彩度とを低下させる方法、あるいは、輝度とコントラストとを低下させる方法、等を用いることもできる。
【図面の簡単な説明】
【００４７】
【図１】本発明に係るディスク再生装置の一実施形態であるＤＶＤプレイヤの電気的構成を示すブロック線図である。
【図２】ＤＶＤに記録されたプログラムストリームの構成を示す説明図である。
【図３】メニュー画面を示す説明図である。
【図４】メニュー画面のボタン表示を行うときの実施形態の主要動作を示す説明図である。
【図５】従来技術のメニュー画面を示す説明図である。
【図６】従来技術のメニュー画面を示す説明図である。
【図７】従来技術のメニュー画面を示す説明図である。
【符号の説明】
【００４８】
１  ＤＶＤ（光ディスク）
２１  ボタン表示手段
４１１〜４１４  ボタン
４２１〜４２４  ボタンに表示された文字列
４３１〜４３４  ボタンに対応付けられた番号を示す数字
４４１〜４４４  数字の表示範囲を含む所定範囲を示す破線
５１１〜５１４  ボタン
５３１〜５３４  ボタンに対応付けられた番号を示す数字
Ｓ７  ボタンに対応付けられた番号を示す数字を表示するステップ
【図１】
2006013940.tif 000003
【図２】
2006013940.tif 000004
【図３】
2006013940.tif 000005
【図４】
2006013940.tif 000006
【図５】
2006013940.tif 000007
【図６】
2006013940.tif 000008
【図７】
2006013940.tif 000009